(57)【要約】【課題】小型軽量で、本や資料及び、電子書籍の大きさに合わせて自在に伸縮して保持できる。透明素材で上下段の文字が透けて見え、未使用時でもパソコン画面を遮ることがなく、圧迫感を与えないパソコン用資料受け台を提供する。【解決手段】透明硬質素材を以て、底板より略Ｌ字形状に脚部を形成し、上端に略コ字状型の資料受け部を設けた傾斜板に、左右の両サイドに傾斜板挟持溝を設け、上端に直角に折れ曲がった資料抑え板を、蝶番で固設した上下摺動板を嵌挿する。【選択図】図１
2012250007.tif 000002
【特許請求の範囲】
【請求項１】
透明硬質素材をもって、底板より略Ｌ字形状に脚部を形成し、前記脚部の上端に、下部に略コ字状型の資料受け部を設けた傾斜板を固設すると共に、左右の両サイドに傾斜板挟持溝を設けた上下摺動板の上端に、直角に折れ曲がった資料押さえ板を蝶番を介して固設し、前記傾斜板に嵌挿したことを特徴とするパソコン用資料受け台。
【請求項２】
前記資料受け部と、前記資料押さえ板の先端部分を手前に若干折り曲げると共に、前記資料受け部と、前記資料押さえ板に装着するページ厚さの調整用凸部をそれぞれに設けたことを特徴とする請求項１記載のパソコン用資料受け台。
【請求項３】
前記資料受け部と前記資料押さえ板の下面と上面にそれぞれ電池ボックスを固設すると共に、前記資料受け部と前記資料押さえ板の先端面にＬＥＤライトをそれぞれ設けたことを特徴とする請求項１記載のパソコン用資料受け台。
【発明の詳細な説明】
【技術分野】
【０００１】  本発明は、パソコンを使用する際に、本や参考資料、及びタブロイド型電子書籍を保持するパソコン用資料受け台に関するものである。
【背景技術】
【０００２】  パソコンを用いての資料作成時に、本や参考資料、及びタブロイド型電子書籍を見ながらキーボードを操作する際には、これらを片手で持ったり、机上に置いて開いた本のページ面を重石で押さえたりしているが非効率である。【０００３】  本や参考資料、及びタブロイド型電子書籍を机上に置いた場合には文字面は平面となるが、パソコンの画面は鈍角に傾斜を持つ立面なので、視点の距離や角度に相違があるために非常に見にくいものとなっている。【０００４】  従来から、書見台としては各種考案されているが、構造上大型なものが多く、狭い業務机上に置くには不向きなものであった。また、載置した本の左右のページ厚さに対応できる機能を持つ書見台は無かった。【０００５】  例えば、実願第３１６２１０９号公報に開示されている書見台では、架台の中央に、開いた本の背を受け入れる溝を有し、上下のページ押さえ板の中央部にページ繰りを容易にする目的の切り込みを入れたものがある。【０００６】  前記、実願第３１６２１０９号は、上のページ押さえ板を前後に移動可能にして、各サイズの本に対応できるようにしたものであるが、架台の中央に溝があるために枠体で構成されている。このため、上のページ押さえ板の摺動範囲に限界があり、枠体を超える大きさの本は使用できないという致命的な問題もあった。【０００７】  更に、本を開いた状態では、ページを綴じた、のどの谷間部分を十分に押し開いて、平面に近づけないと読みづらいものである。しかるに、実願第３１６２１０９号の考案の主要な構成要因である、本の背を入れる溝は、本を押し開く際の支点となる本の背を落とし込むために、のどの谷間部分の開度が狭まるという矛盾を生じるものである。【０００８】  本の紙面を十分に押し開いて平面に近づけるには、開いたページののど部分の、左右の最も隆起した個所を力点として押さえ付けなければならない。実願第３１６２１０９号の考案では、この力点を押さえる上下のページ押さえ板の中央部に、切り込みによる欠損部があるので、その効果を半減することになる。【０００９】  実願第３１６２１０９号は、載置した本のページ繰りを容易にすることと、本のサイズに合わせて架台を自在に伸縮することを目的としてなされたものである。しかしながら、大型の本に対応するには架台の枠体をそれ以上に大きくしなければならず、パソコン作業机上の狭い空間での使用には不向きなものとなっている。
【先行技術文献】
【００１０】
【特許文献１】実願第３１６２１０９号公報
【発明の概要】
【発明が解決しようとする課題】
【００１１】  従来からある書見台は、単純な構造のものは使用効果が薄く、構造が複雑なものは大型になり、狭いパソコン机上で使用するには不向きなものが多かった。【００１２】  本発明は、従来の発想にはなかった、載置した本や参考資料の左右のページ厚さに対応して、ページ面の開閉度を調整する機能を持たせる。【００１３】  本発明は、パソコン画面と同程度の傾斜角を持たせて本や参考資料、及びタブロイド型電子書籍を載せ、パソコン横に設置することで視線の移動を少なくする。【００１４】  本発明は、上下摺動板をスライドするだけの簡単な操作で、本や参考資料を開いた状態で保持でき、両手をハンズフリーにしてパソコン操作の作業効率を上げる。タブロイド型電子書籍においても同様の効果である。【００１５】  本発明は、本の天地を挟み込んで押さえる構造なので、その部分の下の行文字が透けて見えるようにする。未使用時に机上に置いてもパソコン画面を遮ることがなく、圧迫感を軽減する。【００１６】  本発明は、単純な構造で小型でありながら、それを超える大きな本や参考資料、及びタブロイド型電子書籍にも対応でき、１台で各種サイズの載置物に対応する、パソコン用資料受け台を提供するためになされたものである。
【課題を解決するための手段】
【００１７】  上記の問題点を解決するために本発明は、透明硬質素材をもって底板より略Ｌ字形状に脚部を形成し、脚部の上端に、下部に略コ字状型の資料受け部を設けた傾斜板を固設する。上下摺動板の左右の両サイドに傾斜板挟持溝を設け、上端に直角に折れ曲がった資料押さえ板を蝶番で固設し、前記傾斜板に嵌挿したものである。
【発明の効果】
【００１８】  本発明は、狭い机上で本や参考資料、及びタブロイド型電子書籍を手元にパソコン操作をするときに、場所を取らずに簡単な操作で本を開いた状態で固定でき、両手をハンズフリーにして効率を上げるためのものである。【００１９】  載置した本の左右のページの厚みに応じて、上下のページ面を押さえる板面先端に嵌合した、バランス調整用の凸部を水平方向への移動が可能である。【００２０】  パソコン画面と同程度の傾斜角を持たせて本や参考資料、及びタブロイド型電子書籍を載せ、パソコンの横に設置することで視線の移動を少なくする。【００２１】  本や参考資料の天地の部分からページ面を挟み込む構造だが、本体は透明なので挟み込んだ上下の行文字が遮蔽されることはない。また、未使用時で机上に置いても、パソコン画面を本体で遮ることはなく圧迫感を与えない。【００２２】  傾斜板挟持溝の上部が解放なので上下摺動板の可動域が大きく、文庫サイズからＢ４サイズまで対応できるので、載置物の大きさによる制約が少ない。【００２３】  小型の本は、上下摺動板を上にスライドして本を出し入れし、大型の本の場合には蝶番を介して、資料押さえ板を開いて本を出し入れできる。【００２４】  単純な構造で、且つ、小型軽量なのでコストが安くできる。
【図面の簡単な説明】
【００２５】
【図１】本発明の使用時における斜視図である。
【図２】本発明の実施例における最大時の斜視図である。
【図３】本発明の実施例における最小時の斜視図である。
【図４】本発明の請求項２の側面図である。
【図５】図４のＡ〜Ａ線の断面図である。
【発明を実施するための形態】
【００２６】  本発明は、透明硬質素材をもって、底板（１）より、略Ｌ字形状に脚部（２）を形成し、前記脚部（２）の上端に、下部に略コ字状型の資料受け部（３）を設けた傾斜板（４）を固設する。左右の両サイドに傾斜板挟持溝（５）（５）を設けた、上下摺動板（６）の上端に、直角に折れ曲がった資料押さえ板（７）を蝶番（８）で固設し、前記傾斜板（４）に嵌挿する。
【実施例】
【００２７】  本発明の、パソコン用資料受け台の実施例である。
開いた本や参考資料、及びタブロイド型電子書籍の天地を略コ字状型の受け口で保持する構造なので、本の上下段の行文字が透けて見えるように透明なアクリル樹脂板を用いた。底板より略Ｌ字形状に脚部を形成して、上端に略コ字状型の資料受け部を設け、脚部に固設した傾斜板を形成する。上下摺動板の左右の両サイドに傾斜板挟持溝を形成し、上端に直角に折れ曲がった資料押さえ板を蝶番で固設する。この上下摺動板を傾斜板に嵌挿する。
実施例では、天地の略Ｌ字状型と略コ字状型の受け口の先端を、若干手前に折り返して本の差し込みを容易にするとともに、この折り返した先端部分に嵌合してスライドさせる、ページ厚のバランス調整用凸部を装着した。【００２８】  ここでは本発明の使用法について述べる。
まず、本を開いて地の部分を資料受け部に差し込み、次に上下摺動板を下げて、本の天の部分を資料押さえ板で挟み込む。その際に、開いた本のページののど部分の、最も隆起した個所が押されて平面状に押し開く状態になる。ページをめくるときは上下摺動板を押し上げるか、資料押さえ板を開いて本を取出し、ページを繰って最初と同じ動作を繰り返す。この動作時に、上下摺動板は任意の位置で静止する構造となっている。【００２９】  請求項２の実施例では、最初と最後は本の左右のページの厚さが偏るので、本を綴じた中央ののど部分が読みづらくなる。ページ厚の薄い方にバランス調整用の凸部を移動することで、ページののど部分を大きく押し広げる効果を持つ。
【産業上の利用可能性】
【００３０】  パソコンが広く普及し、最近はタブロイド型電子書籍も各種販売されている。各種のデータや資料を基にパソコンに打ち込むときに、これらを机上に置くと文字面が平面となるが、パソコン画面は立面なので非常に見づらい。本考案はパソコン画面と同角度で並べて使用するので視線の移動が少なく、両手がハンズフリーとなるので作業効率が格段に上がり、産業上有益な発明である。
【符号の説明】
【００３１】１  底板
２  脚部
３  資料受け部
４  傾斜板
５  傾斜板挟持溝
６  上下摺動板
７  資料押さえ板
８  蝶番
９  バランス調整用凸部
【図１】
2012250007.tif 000003
【図２】
2012250007.tif 000004
【図３】
2012250007.tif 000005
【図４】
2012250007.tif 000006
【図５】
2012250007.tif 000007